(57)【特許請求の範囲】
【請求項１】
音波を発射し得る音波素子体と、この音波素子体に、その一側下面が固定的に設けられ、かつ該一側下面の反対側の一側上面に断面略弧状の凹所を有する金属製の音波照射台座と、前記音波照射台座とは前記音波の振動伝達率が異なる樹脂材料のキャップ状に成形されたカバー状振動媒体とから成る皮膚用クレンジング具であって、
前記カバー状振動媒体は、前記断面略弧状の凹所の曲面状接触面に接触する状態で該断面略弧状の凹所に充填される充填部分を有すると共に、該充填部分の表面は、外方向に凸レンズ状曲面又はドーム形状のいずれかであり、前記音波照射台座から照射された音波が集束する焦点は、空気層を挟まない該充填部分の表面又は充填部分内の表面付近のいずれかに位置し、前記充填部分の表面が生体の対象部位に対して圧力となり得る、美容における皮膚用クレンジング具。
【請求項２】
請求項１に於いて、カバー状振動媒体は、その材質はシリコンゴムであることを特徴とする美容における皮膚用クレンジング具。  
【請求項３】
片手で握ることができる立体的形状の筺体と、該立体的形状の筺体の把手部に連設する先端部にヘッドとして設けられた皮膚用クレンジング具とから成る音波美容器に於いて、
前記立体的形状の筺体は、少なくも操作部からの操作信号に基づいて起動する制御手段と、該制御手段からの指令信号に基づき駆動して前記皮膚用クレンジング具に駆動信号を与える駆動部とを内蔵し、一方、前記皮膚用クレンジング具は、音波を発射し得る音波素子体と、この音波素子体に、その一側下面が固定的に設けられ、かつ該一側下面の反対側の一側上面に断面略弧状の凹所を有する金属製の音波照射台座と、前記音波照射台座とは前記音波の振動伝達率が異なる樹脂材料のキャップ状に成形されたカバー状振動媒体とから成る皮膚用クレンジング具を備え、
前記カバー状振動媒体は、前記断面略弧状の凹所の曲面状接触面に接触する状態で該断面略弧状の凹所に充填される充填部分を有すると共に、該充填部分の表面は、全体として外方向に凸レンズ状曲面又はドーム形状のいずれかであり、前記音波照射台座から照射された音波が集束する焦点は、空気層を挟まない該充填部分の表面又は充填部分内の表面付近のいずれかに位置し、前記充填部分の表面が生体の対象部位に対して圧力となり得る、音波美容器。
【請求項４】
請求項３に於いて、前記駆動部は、少なくとも間欠発信器を含み、前記制御手段は、間欠発信器により高周波の超音波を間欠的に発生させるとともに、当該間欠部分は低周波の間隔であるような駆動信号を音波素子体に与えるように制御することを特徴とする音波美容器。
【発明の詳細な説明】
【技術分野】
【０００１】
本発明は、主として人体の顔や頭の皮膚の汚れを叩き落とす美容における皮膚用クレンジング具及び音波美容器に関する。
【背景技術】
【０００２】
特許文献１は出願人が提案したものである。従来、この種の皮膚用クレンジング具及び音波美容器は、多目的なので、構造が複雑化するという問題点があった。そこで、イオン効果や温度効果に重点を置かず、「簡易な構成」により、「主として人体の顔や頭の皮膚の汚れを叩き落とす皮膚用クレンジング具及び音波美容器」の出現が要望されている。その場合、クレンジング効果が十分に発揮するものが期待されている。
【０００３】
ところで、超音波を利用した発明として特許文献２が存在する。この特許文献２は、治療の技術分野に関するもので、本発明の如く、音波美容器の技術分野に関するものではないが、例えば癌細胞死滅を目的とした治療法或いは超音波治療装置である。この超音波治療装置の盤状音波発射体７の一側上面は、全体として内方向に凹レンズ状曲面（発射面）７ａに形成され、該凹レンズ状曲面（発射面）７ａが人体に対して正面となり、袋状の冷却部材１０を介して、該凹レンズ状曲面（発射面）７ａから発射された超音波の焦点Ｐは、前記盤状音波発射体７の外、すなわち、人体３内の治療部位（癌細胞・腫瘍のあるところ）にある。このように、治療法或いは超音波治療装置の技術分野では、一側上面が凹レンズ状曲面（発射面）７ａの盤状音波発射体７を使用しているものの、超音波が集束する焦点Ｐは体内に位置していた（符号は特許文献２のもの）。
【０００４】
上記の技術をそのまま美容における皮膚用クレンジング具及び音波美容器に応用した場合には、人体の顔や頭の皮膚にクレンジング効果を得るための圧力（振動）を得ることができない。そこで、特許文献２に記載の技術の応用が、美容器具の技術分野でも期待されている。その際、発明の課題との関係で、低周波信号のみ、又は高周波信号のみではないことが好ましい。そこで、このような要望や期待に鑑みて本発明が出現した。
【先行技術文献】
【特許文献】
【０００５】
【特許文献１】特許第４４４４８３９号公報
【特許文献２】特開２００３−３８５１４号公報
【発明の概要】
【発明が解決しようとする課題】
【０００６】
本願発明の主たる目的は、要望や期待に鑑みて、金属製の音波照射台座の振動と同一振動で伝播しないと共に、生体の対象部位（特に、主として人体の顔や頭の皮膚）に直接又は間接的（例えばコットンを介して）に触れる樹脂成形体としてのカバー状振動媒体の表面の揺れが、「クレンジング効果（振動圧力）」として十分となり得る、望ましくは前記金属製の音波照射台座の凹所に充填された前記カバー状振動媒体の充填部分の中央部の表面又は表面付近のいずれかが最も振動伝達率が大きい（人体の顔や頭の皮膚に十分な圧力を与えることができる）美容における皮膚用クレンジング具、及び該皮膚用クレンジング具をヘッドに有する音波美容器を提供することである。本願発明の第２の目的は、簡易な構造により、本願発明の主たる目的を実現することである。その他の付随的目的は、生体の皮膚に金属製の音波照射台座が直接触れないこと、クレンジング効果を高めるために単数又は複数の音波素子に低周波信号と高周波信号を含む複数種類の駆動信号を順番に与えることである。
【課題を解決するための手段】
【０００７】
本発明の美容における皮膚用クレンジング具は、音波を発射し得る音波素子体と、この音波素子体に、その一側下面が固定的に設けられ、かつ該一側下面の反対側の一側上面に断面略弧状の凹所を有する金属製の音波照射台座と、前記音波照射台座とは前記音波の振動伝達率が異なる樹脂材料のキャップ状に成形されたカバー状振動媒体とから成る皮膚用クレンジング具であって、前記カバー状振動媒体は、前記断面略弧状の凹所の曲面状接触面に接触する状態で該断面略弧状の凹所に充填される充填部分を有すると共に、該充填部分の表面は、外方向に凸レンズ状曲面又はドーム形状のいずれかであり、前記音波照射台座から照射された音波が集束する焦点は、空気層を挟まない該充填部分の表面又は充填部分内の表面付近のいずれかに位置し、前記充填部分の表面が生体の対象部位に対して圧力となり得る、ことを特徴とする。
【０００８】
上記構成に於いて、カバー状振動媒体は、その材質はシリコンゴムであることを特徴とする。
【０００９】
また本発明の音波美容器は、片手で握ることができる立体的形状の筺体と、該立体的形状の筺体の把手部に連設する先端部にヘッドとして設けられた皮膚用クレンジング具とから成る音波美容器に於いて、
前記立体的形状の筺体は、少なくも操作部からの操作信号に基づいて起動する制御手段と、該制御手段からの指令信号に基づき駆動して前記皮膚用クレンジング具に駆動信号を与える駆動部とを内蔵し、一方、前記皮膚用クレンジング具は、音波を発射し得る音波素子体と、この音波素子体に、その一側下面が固定的に設けられ、かつ該一側下面の反対側の一側上面に断面略弧状の凹所を有する金属製の音波照射台座と、前記音波照射台座とは前記音波の振動伝達率が異なる樹脂材料のキャップ状に成形されたカバー状振動媒体とから成る皮膚用クレンジング具を備え、前記カバー状振動媒体は、前記断面略弧状の凹所の曲面状接触面に接触する状態で該断面略弧状の凹所に充填される充填部分を有すると共に、該充填部分の表面は、全体として外方向に凸レンズ状曲面又はドーム形状のいずれかであり、前記音波照射台座から照射された音波が集束する焦点は、空気層を挟まない該充填部分の表面又は充填部分内の表面付近のいずれかに位置し、前記充填部分の表面が生体の対象部位に対して圧力となり得る、ことを特徴とする。
【００１０】
上記構成に於いて、前記駆動部は、少なくとも間欠発信器を含み、前記制御手段は、間欠発信器により高周波の超音波を間欠的に発生させるとともに、当該間欠部分は低周波の間隔であるような駆動信号を音波素子体に与えるように制御することを特徴とする。
【発明の効果】
【００１１】
（ａ）請求項１に記載の発明は、音波照射台座とは音波の振動伝達率が異なる樹脂材料のキャップ状に成形されたカバー状振動媒体を備え、その焦点Ｐが該カバー状振動媒体に存在して空気層を挟まない（焦点Ｐが物質内にある）、カバー状振動媒体が金属製の音波照射台座の振動と同一振動で伝播しない等の理由から、生体の対象部位（特に、主として美容における人体の顔や頭の皮膚）に直接又は間接的（例えばコットンを介して）に触れる樹脂成形体として、カバー状振動媒体の表面の揺れが大きくし、「クレンジング効果（振動圧力）」として十分な効果を発揮させることができる。付言すると、音波照射台座とカバー状振動媒体とは互いに音波の振動伝達率が異なる材質で成形され、前記カバー状振動媒体の表面が、全体として外方向に凸レンズ状曲面又はドーム形状のいずれかに形成され、かつ、焦点Ｐがカバー状振動媒体に存在して空気層を挟まない（焦点Ｐが物質内にある）構成であることから、カバー状振動媒体の充填部分の中央部の表面又は表面付近のいずれかが最も振動伝達率が大きい（美容における人体の顔や頭の皮膚に十分な圧力を与えることができる）効果を確実に得ることができる。またカバー状振動媒体を金属製の音波照射台座を簡単に装着することができる、カバー状振動媒体が金属製の音波照射台座に対して動かない、金属製の音波照射台座が汚れない、というような効果がある。
（ｂ）請求項２に記載の発明は、材質がシリコンゴムなので、皮膚を傷つけない、音感効果により、皮膚の毛穴の拡張を促す、錆びない等の効果がある。
（ｃ）請求項３に記載の発明は、請求項１に記載の美容における皮膚用クレンジング具を備えているので、上記（ａ）の効果を有する音波美容器を、簡易な構成により実現することができる。
（ｄ）請求項４に記載の発明は、駆動部は、少なくとも間欠発信器を含み、前記制御手段は、間欠発信器により高周波の超音波を間欠的に発生させるとともに、当該間欠部分は、例えば低周波の間隔であるような駆動信号を音波素子体に与えるように制御するので、ユーザの感触を含め、「クレンジング効果（振動圧力）」を十分に発揮させることができる。
【図面の簡単な説明】
【００１２】
図１乃至図８は本発明の第１実施形態を示す各説明図、図９及び図１０は本発明の美容における皮膚用クレンジング具Ｙ１の第２実施形態を示す各説明図。
【図１】音波美容器Ｘの全体の外観構成を示す斜視図。
【図２】皮膚用クレンジング具Ｙを構成する部材の分解説明図（部材の一部を切欠いた断面図を含む）。
【図３】金属製の音波照射台座の概略断説明図。
【図４】カバー状振動媒体の縦断面概略説明図。
【図５】音波美容器Ｘの制御系の説明図。
【図６】皮膚用クレンジング具及び音波美容器Ｘの主要部を示す説明図（複数種類の周波数の概略説明図も含む）。
【図７】制御系における駆動部の具体的構成を示す概略説明図。
【図８】音波美容器Ｘの使用態様の一例を示す説明図。
【図９】第２実施形態の皮膚用クレンジング具Ｙ１の説明図。
【図１０】皮膚用クレンジング具Ｙ１のカバー状振動媒体３１Ａの斜視図。
【発明を実施するための最良の形態】
【００１３】
以下、図１乃至図８を参照して本発明の第１実施形態を説明する。まず図１は、美容における肌のクレンジングを目的として使用されるハンディタイプの音波美容器Ｘの全体の外観構成を示す斜視図であり、この音波美容器Ｘのヘッドに相当する先端部には、皮膚用クレンジング具Ｙが一体的に設けられている。なお、ここでは図１を基準として、基端部と先端部の用語を用いる。図１の下方の片手で握ることができる基端部は把持部分１に相当し、一方、図１の上方の先端部２は、主として人体の顔や頭の皮膚に当る皮膚用クレンジング具Ｙの取付け部分に相当する。
【００１４】
把持部分１と該把持部分に連続する取付け部分２は音波美容器Ｘの筐体３を構成し、前記把持部分１は、ある程度の厚みを持たせるように円柱状の外周壁をその半径内方向に押しつぶした扁平的形状に形成されている。もちろん、把持部分１の立体的形状の大きさ・長さ・厚み等は、片手で握り易い形状に形成するのが望ましく、例えばその背面壁側を掌にフィットする円弧状に形成し、一方、正面壁側を中心部に向かって絞った形状にするのが最も好ましい。
【００１５】
また前記先端部２の正面壁には、略円形の上面向き、或いはやや斜め向きの開口部４が形成され、この開口部４に皮膚用クレンジング具Ｙの下端部が一体的に嵌め込まれている。この嵌め込み手段（例えば緊嵌合、係着、螺着等）や一体的に固定する手段（例えば固着具、接着剤等）は特に問わない。
【００１６】
ところで、把持部分１の正面壁の適宜箇所には単数又は複数（実施形態）の操作部５が設けられており、１つの操作部５は、少なくとも主電源をＯＮ・ＯＦＦするスイッチの役割を果たす。また他の操作部６は、駆動部の発信器が、３個以上あって、それらの組み合わせが複数である場合の実施形態に於いて、例えば図示しない第１発信器と第２の発信器の組み合わせから、第１発信器と第３の発信器の組み合わせに変える場合に用いられる周波数切替え用操作ボタンである。
【００１７】
さらに、把持部分１の下縁部には、ＡＣ（交流）アダプタの電源出力端子を接続するための電源入力端子部７（図５参照）が設けられている。なお、特に図示しないが、把持部分１の正面壁、背面壁等の適宜箇所に、周知の如く、単数又は複数の表示部（例えばＬＥＤ）を設けても良い。
【００１８】
次に、図２は皮膚用クレンジング具Ｙを構成する部材の分解説明図であり、図２の下方の部材が音波を発射し得る音波素子体１１、この音波素子体１１の上方に描いている部材が金属製の音波照射台座２１、そして、この音波照射台座２１の上方に描いている部材がキャップ状に形成されたカバー状振動媒体３１である。
【００１９】
まず、音波素子体１１の構成から説明する。本実施形態の音波素子体１１は、圧電素子（ピエゾ素子）が用いられている。周知のように、圧電素子とは、強誘電体の一種で、振動や圧力などの力が加わると電圧が発生し、また逆に電圧が加えると音波を発生するもので、例えば超音波モータ用圧電素子、圧電バイモルフ素子、積層電圧アクチュエータ、高周波用振動子等として用いられている。
【００２０】
しかして、本発明の目的は、人体の皮膚、主として人体の顔や頭の皮膚の汚れを叩き落とすこと（クレンジング）を目的としているので、電圧素子は一対の対向電極に電圧を同時にかけると音波（超音波も含む）を発射する音波振動子として用いている。したがって、音波素子体１１は、図２で示すように、例えば円盤状に加工され、かつ三元系金属酸化物であるチタン酸鉛とジルコン酸鉛の結晶（「チタン酸ジルコン酸鉛」と称されている）の電圧素子本体１２と、互いに厚み方向に対向する両面（上面と下面）にそれぞれ固定された薄板状、あるいはフイルム状の第１電極１３及び第２電極１４と、これらの第１電極１３及び第２電極１４にそれぞれ接続された一対のケーブル１５、１６とから構成され、前記電極１３、１４に同じ電圧が同時にかかると、前記第１電極１３及び第２電極１４が周波数に対応して変動し、その結果、音波１７を少なくとも音波照射台座２１に向かって発射する。なお、音波素子体１１の内部構造は適宜に設計し得る事項である。
【００２１】
次に、金属製の音波照射台座２１の構成を説明する。図２及び図３で示すように、この音波照射台座２１は、多角形或いは円形でやや厚みのある板状の形態（円盤状）のものであり、例えば円形の周端部２３ａの厚みが中心部２５ａに向かうにしたがって次第に薄くなっている。本実施形態では、一側下面２２と、該一側下面の反対側の一側上面２３と、この一側上面２３及び前記一側下面２２と略直交する周側面２４と、前記一側上面２３に形成された断面略弧状の凹所２５とを有する。
【００２２】
しかして、前記一側下面２２は音波素子体１１の第１電極１２と固定的に接合する面である。一方、少なくとも前記凹所２５を含む一側上面２３及び周側面２４は、キャップ状のカバー状振動媒体３１の内壁面が密着状態に接合する外壁面であることから、該外壁面２４、２３、２５はカバー状振動媒体３１が外嵌合する装着部分となる。
【００２３】
金属製の音波照射台座２１の厚さ・材質・大きさ等は音波１７の伝播速度、耐食性等を考慮して、好ましくはアルミニュームを用いている。もちろん、ステンレス等の材料を用いることもできる。また音波照射台座２１の断面略弧状の凹所２５の曲率半径は、音波素子体１１から発射された音波１７が、後述するカバー状振動媒体３１の充填部分の表面又は充填部分内の表面付近のいずれかに位置するように適宜に設定されている（図６参照）。さらに、音波照射台座２１の一側下面を含む外面全体は、周知の手段により、適宜に表面処理されている。
【００２４】
次に、例えば図２及び図４を参照にしてカバー状振動媒体３１の構成を説明する。このカバー状振動媒体３１は、例えば接着層を介して金属製の音波照射台座２１の外面に固定される。しかして、カバー状振動媒体３１は、音波照射台座２１とは音波の振動伝達率が異なる樹脂材料のキャップ状に成形され、音波照射台座２１の前述した断面略弧状の凹所２５の曲面状接触面２５ａに接触する状態で該断面略弧状の凹所２５に充填される充填部分３２、該充填部分から外方向に鍔状に連設し、かつ少なくとも前記音波照射台座２１の一側上面２３を全体的にカバーするやや平坦状周端部３３、該やや平坦状周端部から下方方向に略直交状態に連続する弾性の環状周壁部３４、該環状周壁部の下縁部に水平方向に略直交状態に連続し、かつ、音波照射台座２１を嵌め込むことができる開口部３５を有する弾性の環状底壁部３６を有する。
【００２５】
そして、該カバー状振動媒体３１は、図６で示すように、前記音波照射台座２１から照射された音波１７が集束し、その焦点Ｐを含む前記充填部分３２の表面３２ａが顔や頭の皮膚に対して圧力（叩き付けような振動）となり得るもので、当業者にとって、音波素子体１１と、音波照射台座２１と、カバー状振動媒体３１を上下方向に一体的に結合した厚みのあるブロック形態は、「超音波トランスジューサ」、「音響レンズ」等と称することも可能である。
【００２６】
実施形態では、本発明の付随的な目的を考慮して、生体の皮膚に金属製の音波照射台座が直接触れないように、弾性の環状周壁部３４と弾性の環状底壁部３６とを有するが、前記弾性の環状底壁部３６は、筺体３の開口部の内壁面に設けた図示しない支持片に支持されるので、カバー状振動媒体３１のズレ防止や抜脱防止という効果を有するという観点から有った方が好ましいが、必ずしも必要ではない。
【００２７】
付言すると、カバー状振動媒体３１は、少なくとも金属製の音波照射台座２１の一側上面２３及び該一側上面と略直交する周側面３４を全て包むようにキャップ状に成形され、その材質はシリコンゴムである。また本発明の主たる目的で、好ましくは、少なくともカバー状振動媒体３１の充填部分３２の表面は、全体として外方向に凸レンズ状曲面又はドーム形状のいずれかであり、焦点Ｐは充填部分の表面３２ａ又は充填部分内の表面付近のいずれかに位置する。
【００２８】
次に、図５を参照にして、音波美容器Ｘの制御系を簡単に説明する。立体的形状の筺体３は、少なくも単数又は複数の操作部５からの操作信号に基づいて起動する制御手段４１と、該制御手段４１からの指令信号に基づき駆動して前記皮膚用クレンジング具Ｙに駆動信号（交番する交流電圧）を与える駆動部４２とを内蔵し、好ましくは充電可能な内部電源（例えば二次電池）４５を有する。そして、前述したように電源入力端子部７を適宜箇所に備えている。
【００２９】
しかして、前記制御手段４１は、プログラムを格納する記憶部４４とタイマ４３を有している。付言すると、制御手段４１の記憶部４４は、音波美容器Ｘの全体的な制御や各種演算を実行するプロセッサ、ＲＡＭ、ＲＯＭを内蔵する。ＲＯＭには実行される制御や演算のためのプログラムや各種パラメータなどのソフトウェアが格納されており、プロセッサはこのＲＯＭからソフトウェアを読み込み、命令文を解釈し、ＲＡＭのメモリ空間を用いて命令を実行する。また前記タイマ４３は、例えば操作部５からの操作信号に基づいて該制御手段４１の作動時間を決めるもので、５分間、７分間、１０分間等の所定時間経過後に制御手段４１の指令信号を停止するために用いられる。したがって、この制御手段４１のソフトウェアの一機能として、前述したようにクレンジングを自動的に終了させることができる。
【００３０】
さらに、制御手段４１は、図７で示すように、駆動部（例えば間欠発振器）４２を介して音波素子体１１の一対の電極１３，１４に高周波の超音波が間欠的に発生し、当該間欠部分は低周波の間隔であるような駆動信号を音波素子体に与えるように制御する。
【００３１】
駆動部は、少なくとも間欠発信器４２を含み、前記制御手段４１は、間欠発信器４２により高周波の超音波を間欠的に発生させるとともに、当該間欠部分は、例えば低周波の間隔であるような駆動信号を音波素子体１１に与えるように制御する
より詳しく説明すると、前記駆動部４２は、少なくとも間欠発振器４２を含み、前記制御手段４１は、間欠発信器４２により高周波の超音波（例えば、１ＭＨｚ）を間欠的に発生させるとともに、当該間欠部分は低周波の間隔、例えば、１０Ｈｚ（０．１秒とか、０．２とか、０．３秒とか）であるような駆動信号Ｓを一つの音波素子体１１に与えるように制御する。
【００３２】
ここで、本実施例では音波素子体１１自体が共振周波数（固有振動数）を持っており、本実施例で使用している音波素子体１１（超音波振動子）では、その値が１ＭＨｚとなっている。
【００３３】
上述した各周波数（すなわち、高周波の超音波と、低周波の間隔）の数値は、必ずしも臨界的意義（最適な数値）を有するものではないが、前記低周波の間隔、例えば上述したように「１０Ｈｚ」であり、一方、前記高周波の超音波は、例えば上述したように「１ＭＨｚ（低周波の一万倍）」である。発明の課題を考慮すると、高周波の超音波は低周波の間隔に対して各段に高い超音波であることが望ましい。なお、実施形態では、一つの音波素子体１１に対して、高周波の超音波（例えば、１ＭＨｚ）を略正弦波形状にして低周波の間隔（例えば、１０Ｈｚ（０．１秒）で間欠的に発生させるものであるが、低周波の間隔は１０Ｈｚ（０．１秒）の例に限らず、例えば「０．３秒」、「０．４秒」、「０．５秒」、「０．６秒」、「０．７秒」等の略１秒範囲内の周期で繰り返し可変させるようにしても良い。
【００３４】
また、発明の目的を逸脱しない範囲に於いて、高周波の超音波を低周波の間隔で間欠的に発生させる場合に、前記高周波と前記低周波の数値の組み合せは上述した実施例の数値に限らず、その他の数値でよく、実験を行って最適な複数の組み合せにしても、同様の効果を得ることができる。さらに、実施態様如何によっては複数個の音波素子体１１を設けることも可能である。
【００３５】
最後に図８は、音波美容器Ｘの使用態様の一例を示す説明図である。使用時、音波美容器Ｘの先端部に設けた皮膚用クレンジング具Ｙに例えば「コットン５０（発明の特定要件ではない）」を適宜に装着して、カバー状振動媒体３１の中央部（中央部寄りの部位も含む）を顔や頭に宛がって使用する。駆動部（発振器）４２からの駆動信号ａ、ｂ（交番する交流電圧）が低周波信号Ｌの場合には「トン・トン・トン」と軽く叩くような感じとなり、一方、超音波としての高周波信号Ｈの場合には、「ドン・ドン・ドン」と速くかつ強く叩き付けるような感じとなり、「クレンジング効果（振動圧力）」を十分に発揮することができる。
【実施例】
【００３６】
実施形態では、皮膚用クレンジング具Ｙ及び音波美容器Ｘは、適宜箇所に温度センサを備えていないが、該温度センサを構成要件とすることもできる。温度センサを加味する実施形態の場合には、図示しない温度センサを、例えば皮膚用クレンジング具Ｙのカバー状振動媒体３１の内壁面又は外壁面に固定的に配設し、一方、制御手段４１の記憶部４３に温度閾値（例えば４０度）を設定し、前記カバー状振動媒体３１の温度が前記温度閾値を超える場合に音波美容器Ｘの駆動が自動的に停止するように構成しても良い。もちろん、カバー状振動媒体３１の温度が、例えば４０度を超えないように設計するのが好ましい。
次に、図９及び図１０は本発明の第２実施形態を示す各説明図である。なお、この第２実施形態の説明に当って、第１実施形態と同一の部分には同一又は同様の符号を付して重複する説明を割愛する。
【００３７】
図９は第２実施形態の皮膚用クレンジング具Ｙ１の説明図、図１０は皮膚用クレンジング具Ｙ１のカバー状振動媒体３１Ａの斜視図である。この第２実施形態のカバー状振動媒体３１Ａと第１実施形態のカバー状振動媒体３１の表面の形態を比較すると明らかなように、第１実施形態のカバー状振動媒体３１の表面の半径の曲率が、例えばドーム形状の如く緩やかであり、やや弧状であるのに対して、第２実施形態のカバー状振動媒体３１Ａのそれは第１実施形態より大きく、例えば半球面の如く形成されている。この場合、発明の目的を逸脱しない範囲に於いて、カバー状振動媒体３１Ａの頂点付近をやや平面にし、いわゆる「略球台形状」にしても良い。なお、カバー状振動媒体３１Ａの表面を半球面の如く形成した場合、当然のことながら、金属製の音波照射台座２１Ａの凹所２５の半径の大きさも、好ましくは、焦点Ｐが充填部分の表面又は充填部分内の表面付近のいずれかに位置するように変更する。
【産業上の利用可能性】
【００３８】
本発明は、人体の顔や頭の皮膚の汚れを叩き落とす美容における皮膚用クレンジング具及び音波美容器として用いられる。
【符号の説明】
【００３９】
Ｘ…音波美容器、
Ｙ、Ｙ１…皮膚用クレンジング具、
Ｐ…焦点、
Ｓ…駆動信号、
３…筺体、
５、６…操作部、
１１…音波素子体、
２１、２１Ａ…音波照射台座、
２５…凹所、
３１…カバー状振動媒体、
３２…充填部分、
４１…制御手段、
４２…駆動部（少なくとも間欠発信器を含む）、
４３…タイマ、
４４…記憶部、
４５…内部電源（例えば二次電池）。
【図１】
0006619962.tif 000002
【図２】
0006619962.tif 000003
【図３】
0006619962.tif 000004
【図４】
0006619962.tif 000005
【図５】
0006619962.tif 000006
【図６】
0006619962.tif 000007
【図７】
0006619962.tif 000008
【図８】
0006619962.tif 000009
【図９】
0006619962.tif 000010
【図１０】
0006619962.tif 000011